(57)【要約】【課題】急いでカセットをしまう場合に蓋体を開かずに簡単にしまうことのできるカセット収納ケースを提供する。【解決手段】ケース本体２と蓋体３をヒンジ部５を介して連結し、ヒンジ部５を支点にして蓋体３を回動させることにより、ケース本体２と蓋体３との間に確保された収納空間４を開閉するカセット収納ケース１において、収納空間４を取り囲む周壁のうち、ヒンジ部５と反対側に位置する蓋体３の前部側壁３Ａに、蓋体３を閉じた状態で外部からカセット１００の挿入が可能な開口部１０を形成し、その開口部１０に、通常時はバネ１４の力で開口部１０を閉鎖し且つ外部から押されることで開口部１０を開放する開閉自在なフラップ１２を設けると共に、収納空間４の奥部に、収納空間４内に収納したカセット１００を、閉じたフラップ１２の背面に向けて押し付ける可撓片１７を設けた。【選択図】　　　図１
2004099131.tif 000002
【特許請求の範囲】
【請求項１】
カセット収納空間を画成するケース本体と、該ケース本体の一端部に薄肉ヒンジ部を介して開閉動可能に連設された蓋体と、前記ケース本体と前記蓋体とを着脱可能に係合させるロック部とを有するカセット収納ケースであって、
前記収納空間を取り囲む周壁の一部には、前記蓋体を閉じた状態で外部からカセットの挿入が可能な開口部が形成され、
前記開口部に、外部から押されることで該開口部を開放する開閉自在なフラップが設けられたことを特徴とするカセット収納ケース。
【請求項２】
前記フラップが、前記ヒンジ部の反対側に設けられていることを特徴とする請求項１記載のカセット収納ケース。
【請求項３】
前記フラップが、第１の付勢手段によって前記開口部を閉鎖する位置に向けて付勢されていることを特徴とする請求項１または２記載のカセット収納ケース。
【請求項４】
前記収納空間内に収納したカセットを、閉じたフラップの背面に向けて押し付ける第２の付勢手段を備えていることを特徴とする請求項１〜３のいずれかに記載のカセット収納ケース。
【請求項５】
前記ケース本体と蓋体とヒンジ部とロック手段とが、樹脂により一体成形されていることを特徴とする請求項１〜４のいずれかに記載のカセット収納ケース。
【請求項６】
前記フラップが、前記開口部の縁部にヒンジ手段を介して回動自在に設けられた片開きのものであることを特徴とする請求項１〜５のいずれかに記載のカセット収納ケース。
【請求項７】
前記フラップが、前記開口部の対向縁部にそれぞれヒンジ手段を介して回動自在に設けられた両開きのものであることを特徴とする請求項１〜５のいずれかに記載のカセット収納ケース。
【請求項８】
前記フラップ及びヒンジ手段が、前記ケース本体または蓋体の樹脂成形時に、ケース本体及び蓋体の少なくともいずれかに一体成形されていることを特徴とする請求項６または７に記載のカセット収納ケース。
【発明の詳細な説明】
【０００１】
【発明の属する技術分野】
本発明は、記録メディア系のカセットを保管・輸送するためのカセット収納ケースに関する。
【０００２】
【従来の技術】
記録メディア系のカセットを保管・輸送するためのカセット収納ケースが知られている。この種のカセット収納ケースとして、例えば、以下に示す先行技術文献が知られている。
【０００３】
【特許公報１】
特開２００１−１３０６８１号公報（第２〜３頁、図１）
【０００４】
このカセット収納ケースは、カセットを載置する上面開放のケース本体の一端部に、薄肉ヒンジ部を介してケース本体の上面を開閉する蓋体を連設すると共に、ケース本体と蓋体との間に、蓋体を閉位置にロックするロック部を設けた構造をなしている。この種のカセット収納ケースを使用する場合は、ロック部によるロックを外した状態で、蓋体を開いてケース本体に対しカセットを出し入れする。
【０００５】
【発明が解決しようとする課題】
しかしながら、上記従来のカセット収納ケースは、カセットを収納する場合に必ず蓋体を開く必要があり、急ぎの場合等には作業に手間取ることがあった。
【０００６】
本発明は、上記事情を考慮し、急いでカセットをしまう場合に蓋体を開かずに簡単にしまうことのできるカセット収納ケースを提供することを目的とする。
【０００７】
【課題を解決するための手段】
本発明の上記目的は、下記構成により達成される。
【０００８】
（１）　カセット収納空間を画成するケース本体と、該ケース本体の一端部に薄肉ヒンジ部を介して開閉動可能に連設された蓋体と、前記ケース本体と前記蓋体とを着脱可能に係合させるロック部とを有するカセット収納ケースであって、
前記収納空間を取り囲む周壁の一部には、前記蓋体を閉じた状態で外部からカセットの挿入が可能な開口部が形成され、
前記開口部に、外部から押されることで該開口部を開放する開閉自在なフラップが設けられたことを特徴とするカセット収納ケース。
【０００９】
（２）　前記フラップが、前記ヒンジ部の反対側に設けられていることを特徴とする前記（１）記載のカセット収納ケース。
（３）　前記フラップが、第１の付勢手段によって前記開口部を閉鎖する位置に向けて付勢されていることを特徴とする前記（１）または（２）記載のカセット収納ケース。
（４）　前記収納空間内に収納したカセットを、閉じたフラップの背面に向けて押し付ける第２の付勢手段を備えていることを特徴とする前記（１）〜（３）のいずれかに記載のカセット収納ケース。
（５）　前記ケース本体と蓋体とヒンジ部とロック手段とが、樹脂により一体成形されていることを特徴とする前記（１）〜（４）のいずれかに記載のカセット収納ケース。
（６）　前記フラップが、前記開口部の縁部にヒンジ手段を介して回動自在に設けられた片開きのものであることを特徴とする前記（１）〜（５）のいずれかに記載のカセット収納ケース。
（７）　前記フラップが、前記開口部の対向縁部にそれぞれヒンジ手段を介して回動自在に設けられた両開きのものであることを特徴とする前記（１）〜（５）のいずれかに記載のカセット収納ケース。
（８）　前記フラップ及びヒンジ手段が、前記ケース本体または蓋体の樹脂成形時に、ケース本体及び蓋体の少なくともいずれかに一体成形されていることを特徴とする前記（６）または（７）に記載のカセット収納ケース。
【００１０】
前記（１）の構成によれば、上記カセット収納ケースでは、カセットでフラップを押し開きながらカセットを挿入することにより、蓋体を閉じた状態のまま、カセット収納ケースの内部にカセットを収納することができる。従って、蓋体を開け閉めする必要がないので、急いでカセットをしまう場合に作業に手間取ることがない。また、通常時はフラップが閉じているので、収納空間内に異物が入り込むこともない。また、フラップを押し開きながらカセットを挿入した後は、フラップが閉じるので、カセットが脱落することもない。なお、内部にしまったカセットを取り出す場合には、蓋体を開けることにより、従来と同様に取り出すことができる。
【００１１】
前記（２）の構成によれば、このカセット収納ケースでは、フラップをヒンジ部と反対側に設けているので、ヒンジ部に邪魔されることなく、フラップの取り付けが簡単にできる。また、フラップとヒンジ部を離して配置したことにより、フラップの周辺構造の複雑化を避けることができる。また、ヒンジ部と反対側にフラップがあるので、フラップの位置を見つけやすいし、フラップのある側を把持しながら簡単に蓋体を開くことができる。
【００１２】
前記（３）の構成によれば、このカセット収納ケースでは、第１の付勢手段によってフラップが閉鎖位置に積極的に付勢されているので、カセットを挿入しないとき、開口部を確実に閉鎖することができ、異物の侵入を防ぐことができる。また、カセットを挿入するときには、第１の付勢手段による付勢力に抗してカセットでフラップを押し開きながらカセットを挿入することができ、挿入後は自動的にフラップが閉じるので、カセットの脱落防止を確実に果たすことができる。
【００１３】
前記（４）の構成によれば、カセットの挿入時にフラップを押し開く場合、フラップの背後にフラップを開くための空間を確保しておかなければならない。また、カセットの挿入後にフラップが閉じるためには、フラップの背後にフラップが閉じるための空間を確保しておかなければならない。従って、フラップの背後には、カセットを挿入した状態で空間ができることになる。この空間があると、カセットがケース内で遊ぶ可能性がある。そこで、このカセット収納ケースでは、第２の付勢手段により、収納空間内に収納したカセットを、閉じたフラップの背面に向けて押し付けるようにしている。こうすることで、カセットが中でがたつかなくなる。
【００１４】
前記（５）の構成によれば、このカセット収納ケースでは、一体成形品であることにより、製作の簡略化及び低コスト化が図れる。
【００１５】
前記（６）の構成によれば、このカセット収納ケースでは、片開きのフラップを採用しているので、構造の単純化を図ることができる。
【００１６】
前記（７）の構成によれば、このカセット収納ケースでは、両開きのフラップを採用しているので、フラップの背後に確保するフラップの開閉スペースを小さくすることができるので、省スペース化が可能になる。
【００１７】
前記（８）の構成によれば、このカセット収納ケースでは、フラップ及びヒンジ手段をケース本体及び蓋体の少なくともいずれかに一体的に成形しているので、製作の簡略化及び低コスト化が図れる。
【００１８】
【発明の実施の形態】
以下、本発明の実施形態を図面に基づいて説明する。
図１は本発明の実施形態に係るカセット収納ケースを示す外観斜視図であり、図２は、カセット収納ケース内にカセットを挿入した状態を示す断面図である。
【００１９】
カセット収納ケース１は、記憶媒体カセット１００を載置する上面開放の矩形状のケース本体２と、このケース本体２の上面を覆う開閉自在な矩形状の蓋体３とを有している。カセット１００の収納空間４は、ケース本体２に対して蓋体３を閉じたときに、ケース本体２と蓋体３との間に確保される。蓋体３は、ケース本体２の後端側壁２Ａの上端に薄肉ヒンジ部５を介して連結され、薄肉ヒンジ部５を支点に回動させることにより、収納空間４を開閉する。
【００２０】
蓋体３には、平面視矩形状の収納空間４を取り囲む周壁として、薄肉ヒンジ部５を設けた１辺を除く３辺に前部側壁３Ａ及び左右側壁３Ｂが設けられている。左右側壁３Ｂには、蓋体３を閉じたときに、ケース本体２に対して蓋体３をロックするロック部（ロック手段）６が設けられている。
【００２１】
ケース本体２と蓋体３と薄肉ヒンジ部５とロック部６は、樹脂の一体成形により形成されている。また、蓋体３の回動支点となるヒンジ部５と対向する前部側壁３Ａには、蓋体３を閉じた状態で外部からカセット１００の挿入が可能な開口部１０が形成されている。開口部１０には、通常時は該開口部１０を閉鎖し且つ外部から押されることで該開口部１０を開放する開閉自在なフラップ１２が設けられている。このフラップ１２は、上方へ向かって開く片開き式のもので、開口部１０の上縁部にヒンジ部（ヒンジ手段）１３を介して回動自在に取り付けられている。フラップ１２は、ヒンジ部１３に巻回されたねじりコイルであるバネ（第１の付勢手段）１４により、開口部１０を閉鎖する位置に向けて付勢されている。なお、ケース本体２または蓋体３には、フラップ１２を閉鎖位置に停止させるストッパ部１６が設けられている。
【００２２】
フラップ１２の背後には、フラップ１２を開くための空間１５が確保されている。空間１５は、カセット１００の挿入時にフラップ１２が押し開かれ、カセット１００の挿入後にフラップ１２が閉じるためのスペースである。空間１５は、フラップ１２の開閉のためには必要なものであるが、カセット１００を挿入した後では、却ってカセット１００ががたつくおそれがある。そこで、このカセット収納ケース１では、収納空間４の奥部にケース本体２に一体成形した可撓片（第２の付勢手段）１７を設けられている。この可撓片１７は、収納空間４内に収納したカセット１００を閉じたフラップ１２の背面に押し付け、カセット１００のがたつきを防止している。フラップ１２の背面には、カセット１００の当たりを和らげるクッション材１８が設けられているのが望ましい。
【００２３】
次に作用を説明する。
通常のカセット１００の出し入れの際には、ロックを外して蓋体３を開閉することにより、カセット収納ケース１の中からカセット１００を取り出したり、カセット収納ケース１の中にカセット１００を入れたりすることができる。
【００２４】
次に、例えば、急いでカセット１００をカセット収納ケース１にしまいたいときには、図１に示すように、カセット１００でフラップ１２を図２の矢印Ｆの方向に押し開きながら、カセット１００を挿入する。そうすることで、蓋体３を閉じた状態のまま、カセット収納ケース１の内部にカセット１００を収納することができる。従って、蓋体３を開け閉めする必要がないので、急いでカセット１００をしまう場合に作業に手間取ることがない。
【００２５】
カセット１００を挿入すると、フラップ１２はバネ１４の力で確実に閉鎖位置に戻る。同時に、中に挿入したカセット１００には、収納空間４の奥部に設けた可撓片１７から前向きの力が加わるので、カセット１００が前側に押されて移動し、フラップ１２の背面に当たって固定される。従って、がたつきなくカセット１００が収納されることになる。
【００２６】
ここで、通常時にはフラップ１２がバネ１４の力で確実に閉じているので、収納空間４内に異物が入り込むことはない。また、フラップ１２を押し開きながらカセット１００を挿入した後は、フラップ１２が自動的に閉じるので、カセット１００がむやみに脱落することもない。また、ヒンジ部５と反対側にフラップ１２があるので、フラップ１２の位置を見つけやすい。また、カセット１００の取り出しの際には、フラップ１２のある側を把持しながら簡単に蓋体３を開くことができる。
【００２７】
また、片開き式のフラップ１２を採用したので、構造の単純化が図られ、コストを低減することが可能である。また、フラップ１２をヒンジ部５と反対側に設けたので、ヒンジ部５に邪魔されることなく、フラップ１２の取り付けを簡単に行うことができる。また、フラップ１２とヒンジ部５が離れているので、フラップ１２の周辺構造の複雑化を避けることができ、コストの低減が図れる。
【００２８】
なお、フラップは、上記実施形態のような片開き式に限らず、図３に示すように、両開き式に設けることもできる。この両開き式のフラップ２２（２２Ａ、２２Ｂ）は、開口部１０の上下対向縁部（蓋体３側及びケース本体２側の開口縁部）にそれぞれヒンジ部（ヒンジ手段）１３を介して回動自在に設けられており、矢印で示すように、上側のフラップ２２Ａは上方に回動して開き、下側のフラップ２２Ｂは下方に回動して開く。このように両開き式のフラップ２２を採用した場合、フラップ２２の背後に確保する上下フラップ２２Ａ、２２Ｂの開閉スペース（空間１５）を小さくすることができるので、省スペース化が可能になる。
【００２９】
また、上記実施形態では、フラップ１２、２２をケース本体２や蓋体３と別体に成形して後付けする場合を示したが、ヒンジ部１３を、バネ性を有する薄肉ヒンジで構成し、その薄肉ヒンジとフラップを蓋体３やケース本体２に一体に成形することも可能である。この構成により、製作の簡略化及び低コスト化が図れる。
【００３０】
また、収納空間４の奥部に設ける第２の付勢手段としては、上記実施形態のような可撓片１７に限らず、図４に示すような別部材としてのバネ２７、図５に示すようなスポンジやゴム３７を採用することもできる。
また、開口部１０やフラップ１２は、カセット収納ケースの前面に設けずに、側面に設けてもよい。
【００３１】
【発明の効果】
以上説明したように、前記（１）に記載のカセット収納ケースによれば、カセットでフラップを押し開きながらカセットを挿入することにより、蓋体を閉じた状態のまま、カセット収納ケースの内部にカセットを収納することができる。従って、蓋体を開け閉めする必要がないので、急いでカセットをしまう場合に作業に手間取ることがなくなる。
【００３２】
前記（２）に記載のカセット収納ケースによれば、フラップをヒンジ部と反対側に設けたので、ヒンジ部に邪魔されることなく、フラップの取り付けが簡単にできると共に、フラップの周辺構造の複雑化を避けることができる。
【００３３】
前記（３）に記載のカセット収納ケースによれば、第１の付勢手段によってフラップを閉鎖位置に積極的に付勢しているので、カセットを挿入しないときに、開口部を確実に閉鎖することができて異物の侵入を防ぐことができる。また、カセットの挿入後は自動的にフラップが閉じるので、カセットの脱落防止を確実に果たすことができる。
【００３４】
前記（４）に記載のカセット収納ケースによれば、第２の付勢手段を設けたことにより、カセットのがたつきを防止することができる。
【００３５】
前記（５）に記載のカセット収納ケースによれば、ケース本体と蓋体とヒンジ部とロック手段とを樹脂により一体成形したので、製作の簡略化及び低コスト化が図れる。
【００３６】
前記（６）に記載のカセット収納ケースによれば、片開きのフラップを採用したので、構造の単純化を図ることができる。
【００３７】
前記（７）に記載のカセット収納ケースによれば、両開きのフラップを採用したので、フラップの背後の開閉スペースを小さくすることができ、省スペース化が可能になる。
【００３８】
前記（８）に記載のカセット収納ケースによれば、フラップ及びヒンジ手段をケース本体及び蓋体の少なくともいずれかに一体成形したので、製作の簡略化及び低コスト化が図れる。
【図面の簡単な説明】
【図１】本発明の実施形態に係るカセット収納ケースのを示す外観斜視図である。
【図２】カセット収納ケース内にカセットを挿入した状態を示す断面図である。
【図３】両開き式のフラップを採用した他の実施形態の要部断面図である。
【図４】第２の付勢手段としてバネを用いた別の実施形態の要部断面図である。
【図５】第２の付勢手段としてスポンジやゴムを用いた別の実施形態の要部断面図である。
【符号の説明】
１　カセット収納ケース
２　ケース本体
３　蓋体
３Ａ　前部側壁（周壁）
４　収納空間
５　薄肉ヒンジ部（ヒンジ部）
６　ロック部（ロック手段）
１０　開口部
１２　フラップ
１３　ヒンジ部（ヒンジ手段）
１４　バネ（第１の付勢手段）
１７　可撓片（第２の付勢手段）
２２　フラップ
２７　バネ（第２の付勢手段）
３７　スポンジやゴム（第２の付勢手段）
１００　カセット
【図１】
2004099131.tif 000003
【図２】
2004099131.tif 000004
【図３】
2004099131.tif 000005
【図４】
2004099131.tif 000006
【図５】
2004099131.tif 000007